【手続補正書】
【提出日】平成27年7月10日(2015.7.10)
【手続補正１】
【補正対象書類名】特許請求の範囲
【補正対象項目名】全文
【補正方法】変更
【補正の内容】
【特許請求の範囲】
【請求項１】
装置であって、
第１の端子のセットと第２の端子のセットとを有するインタフェースと、
アナログフロントエンド（ＡＦＥ）と、
を含み、
前記第１及び第２の端子のセットがタッチパネルに結合されるように構成され、
前記インタフェースが、スキャン期間の第１の部分の間に前記第１の端子のセットからの第１の端子に第１の励起電圧を提供し、
前記インタフェースが、前記スキャン期間の前記第１の部分の間に前記第１の端子のセットからの第２の端子に第２の励起電圧を提供し、
前記インタフェースが、前記スキャン期間の第２の部分の間に前記第１の端子のセットからの前記第２の端子に前記第１の励起電圧を提供し、
前記インタフェースが、前記スキャン期間の前記第２の部分の間に前記第１の端子のセットからの前記第１の端子に前記第２の励起電圧を提供し、
前記第２の励起電圧が前記第１の励起電圧の反対の極性を有し、
前記インタフェースが、前記スキャン期間の前記第１及び第２の部分の間に、それぞれ、前記第２の端子のセットからの第１の端子から第１及び第２の測定信号を受け取り、
前記ＡＦＥが前記第１及び第２の測定信号を受け取るように前記インタフェースに結合されており、前記ＡＦＥが第１及び第２の積分された信号を生成するために前記第１及び第２の測定信号を積分し、前記ＡＦＥが出力信号を生成するために第１及び第２の積分された信号を組み合わせる、装置。
【請求項２】
請求項１に記載の装置であって、
前記インタフェースが、前記第２の端子のセットからの各端子に結合され、且つ、前記ＡＦＥに結合されるマルチプレクサと、前記第２の端子のセットからの各端子に結合される励起器とを更に含む、装置。
【請求項３】
請求項２に記載の装置であって、
前記ＡＦＥが、前記マルチプレクサに結合される積分器と、前記積分器に結合されるアナログデジタルコンバータ（ＡＤＣ）と、前記ＡＤＣに結合される加算回路とを更に含む、装置。
【請求項４】
請求項３に記載の装置であって、
前記積分器が、
第１の入力端子と、第２の入力端子と、出力端子とを有する増幅器であって、前記増幅器の前記第１の入力端子が参照電圧を受け取り、前記増幅器の前記第２の入力端子が前記マルチプレクサに結合され、前記増幅器の前記出力端子が前記ＡＤＣに結合される、前記増幅器と、
前記増幅器の前記第２の入力端子と前記増幅器の前記出力端子との間に結合されるキャパシタと、
前記増幅器の前記第２の入力端子と前記増幅器の前記出力端子との間に結合されるスイッチであって、サンプル信号により制御される、前記スイッチと、
を更に含む、装置。
【請求項５】
請求項４に記載の装置であって、
前記加算回路が、前記ＡＤＣに結合される遅延回路と、前記ＡＤＣと前記遅延回路とに結合される加算器とを更に含む、装置。
【請求項６】
請求項５に記載の装置であって、
前記ＡＦＥに結合されるデジタルフロントエンド（ＤＦＥ）と、前記ＤＦＥと前記ＡＦＥとに結合される制御ロジックとを更に含む、装置。
【請求項７】
タッチパネルと、タッチパネルコントローラとを含む装置であって、
前記タッチパネルが、
複数の列に配置される複数の列センサ電極と、
第１のストリップ電極のセットであって、前記第１のストリップ電極のセットからの各ストリップ電極が前記複数の列の少なくとも１つ内の各列電極に結合される、前記第１のストリップ電極のセットと、
複数の行に配置される複数の行センサ電極と、
第２のストリップ電極のセットであって、前記第２のストリップ電極のセットからの各ストリップ電極が前記複数の行の少なくとも１つ内の各行電極に結合される、前記第２のストリップ電極のセットと、
を有し、
前記タッチパネルコントローラが、
前記第１及び第２のストリップ電極のセットからの各ストリップ電極に結合されるインタフェースと、
アナログフロントエンド（ＡＦＥ）と、
を有し、
前記インタフェースが、スキャン期間の第１の部分の間に前記第１のストリップ電極のセットからの第１のストリップ電極に第１の励起電圧を提供し、
前記インタフェースが、前記スキャン期間の前記第１の部分の間に前記第１のストリップ電極のセットからの第２のストリップ電極に第２の励起電圧を提供し、
前記インタフェースが、前記スキャン期間の第２の部分の間に前記第１のストリップ電極のセットからの前記ストリップ電極に前記第１の励起電圧を提供し、
前記インタフェースが、前記スキャン期間の前記第２の部分の間に前記第１のストリップ電極のセットからの前記第２のストリップ電極に前記第２の励起電圧を提供し、
前記第２の励起電圧が前記第１の励起電圧の反対の極性を有し、
前記インタフェースが、前記スキャン期間の前記第１及び第２の部分の間に、それぞれ、前記第２のストリップ電極のセットからの第１のストリップ電極から第１及び第２の測定信号を受け取り、
前記ＡＦＥが前記第１及び第２の測定信号を受け取るように前記インタフェースに結合されており、前記ＡＦＥが第１及び第２の積分された信号を生成するために前記第１及び第２の測定信号を積分し、前記ＡＦＥが出力信号を生成するために第１及び第２の積分された信号を組み合わせる、装置。
【請求項８】
請求項７に記載の装置であって、
前記インタフェースが、前記第２のストリップ電極のセットからの各ストリップ電極に結合され、且つ、前記ＡＦＥに結合されるマルチプレクサと、前記第２のストリップ電極のセットからの各ストリップ電極に結合される励起器とを更に含む、装置。
【請求項９】
請求項８に記載の装置であって、
前記ＡＦＥが、前記マルチプレクサに結合される積分器と、前記積分器に結合されるアナログデジタルコンバータ（ＡＤＣ）と、前記ＡＤＣに結合される加算回路とを更に含む、装置。
【請求項１０】
請求項９に記載の装置であって、
前記積分器が、
第１の入力端子と、第２の入力端子と、出力端子とを有する増幅器であって、前記増幅器の前記第１の入力端子が参照電圧を受け取り、前記増幅器の前記第２の入力端子が前記マルチプレクサに結合され、前記増幅器の前記出力端子が前記ＡＤＣに結合される、前記増幅器と、
前記増幅器の前記第２の入力端子と前記増幅器の前記出力端子との間に結合されるキャパシタと、
前記増幅器の前記第２の入力端子と前記増幅器の前記出力端子との間に結合されるスイッチであって、サンプル信号により制御される、前記スイッチと、
を更に含む、装置。
【請求項１１】
請求項１０に記載の装置であって、
前記加算回路が、前記ＡＤＣに結合される遅延回路と、前記ＡＤＣと前記遅延回路とに結合される加算器とを更に含む、装置。
【請求項１２】
請求項１１に記載の装置であって、
前記タッチパネルコントローラが、前記ＡＦＥに結合されるデジタルフロントエンド（ＤＦＥ）と、前記ＤＦＥと前記ＡＦＥとに結合される制御ロジックとを更に含む、装置。
【請求項１３】
方法であって、
第１のインタバルの間にタッチパネル内の第１の列電極のセットに第１の電圧を印加することと、
前記第１のインタバルの間に前記タッチパネル内の第２の列電極のセットに第２の電圧を印加することであって、前記第１及び第２の列電極のセットが互いに隣接しており、前記第２の電圧が前記第１の電圧の反対の極性を有する、前記印加することと、
前記第１のインタバルの間に前記タッチパネルにおける行電極のセットから第１の測定信号を受け取ることと、
第１の積分された信号を生成するために前記第１の測定信号を積分することと、
第２のインタバルの間に前記タッチパネル内の前記第２の列電極のセットに前記第１の電圧を印加することと、
前記第２のインタバルの間に前記タッチパネル内の前記第１の列電極のセットに前記第２の電圧を印加することと、
前記第２のインタバルの間に前記タッチパネルにおける前記行電極のセットから第２の測定信号を受け取ることと、
第２の積分された信号を生成するために前記第２の測定信号を積分することと、
出力信号を生成するために前記第１及び第２の積分された信号を組み合わせることと、
を含む、方法。
【請求項１４】
請求項１３に記載の方法であって、
前記組み合わせる工程が、
第１及び第２のデジタル化された信号を生成するために前記第１及び第２の積分された信号をデジタル化することと、
前記第１のデジタル化された信号を遅延させることと、
前記第１及び第２のデジタル化された信号を共に加算することと、
を更に含む、方法。
【請求項１５】
請求項１４に記載の方法であって、
前記方法が、前記第１のインタバルの間に第１のサンプル期間のために、及び前記第２のインタバルの間に第２のサンプル期間のために、積分器をアクティブにすることを更に含む、方法。
【請求項１６】
請求項１５に記載の方法であって、
前記方法が、
列電極の隣接するセットの各対と列電極の各セットとに対し、前記第１のインタバルの間に前記第１の電圧を印加する工程と、前記第１のインタバルの間に前記第２の電圧を印加する工程と、前記第１の測定信号を受け取る工程と、前記第１の測定信号を積分する工程と、前記第２のインタバルの間に前記第１の電圧を印加する工程と、前記第２のインタバルの間に前記第２の電圧を印加する工程と、前記第２の測定信号を受け取る工程と、前記第２の測定を積分する工程と、前記第１及び第２の積分された信号を組み合わせる工程とを反復することと、
前記タッチパネルに対し静電容量プロファイルを生成することと、
を更に含む、方法。
【請求項１７】
請求項１６に記載の方法であって、
前記方法が、
列電極の隣接するセットの各対と列電極の各セットとに対し、前記第１のインタバルの間に前記第１の電圧を印加する工程と、前記第１のインタバルの間に前記第２の電圧を印加する工程と、前記第１の測定信号を受け取る工程と、前記第１の測定信号を積分する工程と、前記第２のインタバルの間に前記第１の電圧を印加する工程と、第２のインタバルの間に前記第２の電圧を印加する工程と、前記第２の測定信号を受け取る工程と、前記第２の測定を積分する工程と、前記第１及び第２の積分された信号を組み合わせる工程とを反復することにより前記タッチパネルをスキャンすることと、
前記スキャンすることと前記静電容量プロファイルとに少なくとも部分的に基づいてタッチ事象の位置を判定することと、
を更に含む、方法。
【請求項１８】
装置であって、
第１のインタバルの間にタッチパネル内の第１の列電極のセットに第１の電圧を印加する手段と、
前記第１のインタバルの間に前記タッチパネル内の第２の列電極のセットに第２の電圧を印加する手段であって、前記第１及び第２の電極のセットが互いに隣接しており、前記第２の電圧が前記第１の電圧の反対の極性を有する、前記印加する手段と、
前記第１のインタバルの間に前記タッチパネルにおいて行電極のセットから第１の測定信号を受け取る手段と、
第１の積分された信号を生成するために前記第１の測定信号を積分する手段と、
第２のインタバルの間に前記タッチパネル内の前記第２の列電極のセットに前記第１の電圧を印加する手段と、
前記第２のインタバルの間に前記タッチパネル内の前記第１の列電極のセットに前記第２の電圧を印加する手段と、
前記第２のインタバルの間に前記タッチパネルにおける前記行電極のセットから第２の測定信号を受け取る手段と、
第２の積分された信号を生成するために前記第２の測定信号を積分する手段と、
出力信号を生成するために前記第１及び第２の積分された信号を組み合わせる手段と、
を含む、装置。
【請求項１９】
請求項１８に記載の装置であって、
前記組み合わせる手段が、
第１及び第２のデジタル化された信号を生成するために前記第１及び第２の積分された信号をデジタル化する手段と、
前記第１のデジタル化された信号を遅延させる手段と、
前記第１及び第２のデジタル化された信号を共に加算する手段と、
を更に含む、装置。
【請求項２０】
請求項１９に記載の装置であって、
前記装置が、前記第１のインタバルの間に第１のサンプル期間のために、及び前記第２のインタバルの間に第２のサンプル期間のために、積分器をアクティブにする手段を更に含む、装置。